(57)【要約】      （修正有）【課題】省電力モードになっている情報処理装置が第３者によって勝手に復帰されることを防止する情報処理装置及びプログラムを提供する。【解決手段】情報処理装置は、通常モードと複数の省電力モードを有する。復帰方法記憶手段は、前記情報処理装置を前記省電力モードから前記通常モードに復帰可能である復帰要求の種類を、前記省電力モード毎に記憶している。復帰要求受付手段は、前記情報処理装置が前記複数の省電力モードのうちいずれか１つの省電力モードに移行している場合に、前記通常モードへの復帰要求を受付ける。判定手段は、受付けた前記復帰要求が、前記通常モードに復帰可能な前記復帰要求の種類であるか否かを、前記復帰方法記憶手段を参照して判定する。復帰手段は、前記判定手段によって、復帰可能な前記復帰要求の種類であると判定された場合に、前記情報処理装置を前記通常モードに復帰させる。【選択図】図１
2012038247.tif 000002
【特許請求の範囲】
【請求項１】
ユーザが操作可能な通常モードと、ユーザが操作できない複数の省電力モードとを有する情報処理装置において、
前記情報処理装置を前記省電力モードから前記通常モードに復帰可能である復帰要求の種類を、前記省電力モード毎に記憶している復帰方法記憶手段と、
前記情報処理装置が前記複数の省電力モードのうちいずれか１つの省電力モードに移行している場合に、前記通常モードへの復帰要求を受付ける復帰要求受付手段と、
受付けた前記復帰要求が、前記通常モードに復帰可能な前記復帰要求の種類であるか否かを、前記復帰方法記憶手段を参照して判定する判定手段と、
前記判定手段によって、復帰可能な前記復帰要求の種類であると判定された場合に、前記情報処理装置を前記通常モードに復帰させる復帰手段と、
を備えることを特徴とする情報処理装置。
【請求項２】
前記復帰方法記憶手段は、前記複数の省電力モードとして少なくとも第１省電力モードと第２省電力モードとを記憶し、
前記第１省電力モードに対しては、複数種類の前記復帰要求のうちいずれの種類の前記復帰要求を受付けた場合であっても前記通常モードに復帰可能であると記憶し、
前記第２省電力モードに対しては、複数種類の前記復帰要求のうちの一部の種類の前記復帰要求を受付けた場合にのみ前記通常モードに復帰可能であると記憶していること、
を特徴とする請求項１記載の情報処理装置。
【請求項３】
前記復帰方法記憶手段は、前記一部の種類の復帰要求として、Ｗａｋｅ  Ｏｎ  ＬＡＮ（ＷＯＬ）による前記復帰要求を受付けた場合に前記通常モードに復帰可能であると記憶していること、を特徴とする請求項２記載の情報処理装置。
【請求項４】
前記復帰方法記憶手段は、前記一部の種類の復帰要求として、キーボードの複数のキーを同時に押下する複合キーによる前記復帰要求を受付けた場合に前記通常モードに復帰可能であると記憶していること、を特徴とする請求項２または３に記載の情報処理装置。
【請求項５】
前記情報処理装置に対する入力が無い状態が一定時間続いた場合に、前記第１省電力モードから前記第２省電力モードに前記情報処理装置を移行する省電力モード移行手段、
をさらに備えることを特徴とする請求項２ないし４のいずれか１つに記載の情報処理装置。
【請求項６】
ユーザが操作可能な通常モードと、ユーザが操作できない複数の省電力モードとを有し、前記情報処理装置を前記省電力モードから前記通常モードに復帰可能である復帰要求の種類を、前記省電力モード毎に記憶している復帰方法記憶手段を備える情報処理装置において、
コンピュータを、
前記情報処理装置が前記複数の省電力モードのうちいずれか１つの省電力モードに移行している場合に、前記通常モードへの復帰要求を受付ける復帰要求受付手段と、
受付けた前記復帰要求が、前記通常モードに復帰可能な前記復帰要求の種類であるか否かを、前記復帰方法記憶手段を参照して判定する判定手段と、
前記判定手段によって、復帰可能な前記復帰要求の種類であると判定された場合に、前記情報処理装置を前記通常モードに復帰させる復帰手段と、
して機能させるためのプログラム。
【発明の詳細な説明】
【技術分野】
【０００１】
本発明の実施形態は、情報処理装置およびプログラムに関する。
【背景技術】
【０００２】
従来、ＰＣ（Personal  Computer）やＰＯＳ（Point  Of  Sales：販売時点データ管理）を始めとする情報処理装置では、装置を使用していない間の消費電力を低減し、かつ使用を再開する場合に速やかにシステムを起動するために、省電力モード（サスペンド状態）が設けられている。一般的に、情報処理装置には複数種類の省電力モードが設けられており、システムの状態を保持したままＣＰＵを停止させるＳ１モードや、システムの状態をメモリに保持してその他の回路を停止させるＳ３モードや、システムの状態をハードディスクに保持してその他の回路を停止させるＳ４モード等が設けられている。
【０００３】
また、省電力モードから情報処理を行うことができる通常モードに復帰（レジューム）する場合には、電源ボタンの押下や、キーボードやマウス等の操作、タッチパネルに対する入力操作、Wake  On  LAN（ＷＯＬ）によりＬＡＮ回線を用いて復帰させる情報処理装置に起床パケットを送信するなど、様々な方法が用いられている。また、従来技術として、サスペンド状態から情報処理装置を速やかに復帰させる技術についても開示されている。
【発明の概要】
【発明が解決しようとする課題】
【０００４】
しかしながら、従来技術では、省電力モードから情報処理装置を復帰させる方法は各省電力モードに応じて定められてはおらず、いずれの省電力モードにあっても同一の復帰方法によって省電力モードから通常モードに復帰される。従って、ユーザが情報処理装置を省電力モードにしてその場を離れた場合に、第３者に勝手に省電力モードから通常モードに復帰され、情報処理装置を第３者に操作される恐れがある。
【課題を解決するための手段】
【０００５】
実施形態の情報処理装置は、ユーザが操作可能な通常モードと、ユーザが操作できない複数の省電力モードとを有する情報処理装置において、復帰方法記憶手段と、復帰要求受付手段と、判定手段と、復帰手段とを備える。復帰方法記憶手段は、前記情報処理装置を前記省電力モードから前記通常モードに復帰可能である復帰要求の種類を、前記省電力モード毎に記憶している。復帰要求受付手段は、前記情報処理装置が前記複数の省電力モードのうちいずれか１つの省電力モードに移行している場合に、前記通常モードへの復帰要求を受付ける。判定手段は、受付けた前記復帰要求が、前記通常モードに復帰可能な前記復帰要求の種類であるか否かを、前記復帰方法記憶手段を参照して判定する。復帰手段は、前記判定手段によって、復帰可能な前記復帰要求の種類であると判定された場合に、前記情報処理装置を前記通常モードに復帰させる。
【０００６】
また、実施形態のプログラムは、ユーザが操作可能な通常モードと、ユーザが操作できない複数の省電力モードとを有し、前記情報処理装置を前記省電力モードから前記通常モードに復帰可能である復帰要求の種類を、前記省電力モード毎に記憶している復帰方法記憶手段を備える情報処理装置において、コンピュータを、復帰要求受付手段と、判定手段と、復帰手段として機能させる。復帰要求受付手段は、前記情報処理装置が前記複数の省電力モードのうちいずれか１つの省電力モードに移行している場合に、前記通常モードへの復帰要求を受付ける。判定手段は、受付けた前記復帰要求が、前記通常モードに復帰可能な前記復帰要求の種類であるか否かを、前記復帰方法記憶手段を参照して判定する。復帰手段は、前記判定手段によって、復帰可能な前記復帰要求の種類であると判定された場合に、前記情報処理装置を前記通常モードに復帰させる。
【図面の簡単な説明】
【０００７】
【図１】図１は、本実施の形態にかかる情報処理装置の構成を示すブロック図である。
【図２】図２は、情報処理装置の機能的構成を示す機能ブロック図である。
【図３】図３は、ＯＳのシャットダウンメニューの一例を示す図である。
【図４】図４は、省電力モードの移行例を示す図である。
【図５】図５は、復帰方法設定テーブルの一例を示す図である。
【図６】図６は、情報処理装置が実行する省電力モードからの復帰処理の手順を示すフローチャートである。
【発明を実施するための形態】
【０００８】
図１は、本実施の形態にかかる情報処理装置１の構成を示すブロック図である。本実施形態の情報処理装置１は、ＰＯＳ装置やストアサーバ、その他の一般のＰＣ等として用いられる。また、本実施の形態の情報処理装置１を、携帯型電子機器として用いてもよい。
【０００９】
情報処理装置１は、通常のコンピュータを利用したハードウェア構成となっている。図１に示すように、情報処理装置１は、ＣＰＵ１１などの制御装置と、ＲＯＭ（Read  Only  Memory）１２、ＲＡＭ（Random  Access  Memory）１３、ＨＤＤ１４などの記憶装置と、液晶ディスプレイなどの表示装置１５と、表示装置１５の表面に設けられたタッチパネル１６と、ＰＳ／２ポート１７と、ＵＳＢポート１８と、ＬＡＮアダプタ１９とを備えており、これらがバス２で接続されている。
【００１０】
ＰＳ／２ポート１７またはＵＳＢポート１８には、マウスやキーボードなどの入力装置Ａを接続することができる。また、タッチパネル１６も入力装置Ａとして機能する。
【００１１】
割り込みコントローラ２５は、情報処理装置１への電源供給が省電力モードにある場合に、入力装置ＡやＬＡＮアダプタ１９からの割り込み要求（Interrupt  ReQuest、ＩＲＱ）信号を、ＩＲＱ端子２６によって受付ける。
【００１２】
また、割り込みコントローラ２５には、複数のＩＲＱ端子２６ａ、２６ｂ、２６ｃ、２６ｄが設けられている。それぞれのＩＲＱ端子２６には、タッチパネル１６やＰＳ／２ポート１７、ＵＳＢポート１８、ＬＡＮアダプタ１９が接続されており、割り込みコントローラ２５は複数のＩＲＱ端子２６から割り込み要求を受付けることができる。
【００１３】
一例としてＵＳＢポート１８に接続されているマウスから入力があった場合には、ＩＲＱ端子２６ｃの電圧がＨＩからＬＯＷとなり、割り込みコントローラ２５は、ＵＳＢポート１８に接続された入力装置Ａからの割り込み要求（復帰要求）があったことを受付けることができる。
【００１４】
ＲＯＭ１２は、ＣＰＵ１１が実行する各種プログラムや各種データを記憶するものである。ＲＡＭ１３は、ＢＩＯＳＲＯＭ等のＦｌａｓｈＲＯＭにより構成され、ＢＩＯＳの各種データ、および本実施の形態にかかるプログラムを格納する。また、ＲＡＭ１３は、ＣＰＵ１１が各種プログラムを実行する際に一時的にデータやプログラムを記憶する。ＣＰＵ１１（プロセッサ）は、ＲＡＭ１３からＢＩＯＳとともに本実施の形態のプログラムを読み出して実行することにより、図２に示す制御部１０を主記憶装置上に生成する。
【００１５】
図２は、情報処理装置１の機能的構成を示す機能ブロック図である。図２に示すように、制御部１０は、省電力モード移行部２１と、復帰要求受付部２２と、判定部２３と、復帰部２４と、を主に備えている。
【００１６】
即ち、本実施の形態の情報処理装置１で実行されるプログラムは、上述の各部（省電力モード移行部２１、復帰要求受付部２２、判定部２３、復帰部２４）を含むモジュール構成となっており、ＣＰＵ１１（プロセッサ）は、ＲＡＭ１３からＢＩＯＳとともに本実施の形態のプログラムを読み出して実行する。これにより上記各部が主記憶装置上にロードされ、省電力モード移行部２１と、復帰要求受付部２２と、判定部２３と、復帰部２４と、が主記憶装置上に生成される。
【００１７】
また、図２に示すように、ＲＡＭ１３の不揮発性メモリ領域には、省電力モード記憶領域３１と、復帰方法設定テーブル３２とが設けられている。
【００１８】
省電力モード移行部２１は、従来一般的に行われている方法により、ＯＳやＢＩＯＳと協働して情報処理装置１の省電力モードの移行を行う。省電力モード移行部２１は、入力装置Ａを介してユーザからサスペンド要求を受付けた場合に、情報処理装置１の電源供給を通常モードから受付けた省電力モードに移行する。
【００１９】
通常モードとは、ユーザが情報処理装置１を操作して情報処理を行うことができる電源供給のモードであり、一般的にはＳ０モードと呼ばれるモードである。
【００２０】
省電力モードとは、ユーザが情報処理装置１を操作して情報処理を行うことができない電源供給のモードであり、一般的にはＳ１モード、Ｓ３モード、Ｓ４モード等と呼ばれるモードのことである。省電力モードは、サスペンドモードまたはスタンバイモードとも呼ばれる。
【００２１】
Ｓ１モード（Power  On  Suspend）とは、チップセットへの通電は維持したまま、ＣＰＵ１１への通電を停止し、ＣＰＵクロックを停止状態とする省電力モードのことである。Ｓ３モード（Suspend  To  RAM）とは、ＲＡＭ１３への通電を保持してＲＡＭ１３に展開されているデータはそのまま保持する一方で、ＲＡＭ１３以外への電力供給を停止させる省電力モードのことである。Ｓ４モード（Suspend  To  HDD）とは、ＲＡＭ１３に展開されているデータをＨＤＤ１４にコピーし、ＨＤＤ１４への通電を保持する一方で、ＨＤＤ１４以外への電力供給を停止させる省電力モードのことである。
【００２２】
図３は、ＯＳのシャットダウンメニューの一例を示す図である。一例として、「スタンバイ」が選択された場合には、省電力モード移行部２１は、情報処理装置１をＳ１モードまたはＳ３モードに移行する。また、「休止状態」が選択された場合には、省電力モード移行部２１は、情報処理装置１をＳ４モードに移行する。
【００２３】
また、ＰＯＳやＰＣを始めとする電子機器には一般的に、電源管理アプリケーションが備えられており、この電源管理アプリケーションや、あるいはＢＩＯＳでの設定によって、マウスやキーボード、タッチパネルなどユーザからの入力が一定時間以上無い場合に、自動的に各省電力モードに移行できるようになっている。
【００２４】
省電力モード移行部２１は、このような電源管理アプリケーションやＢＩＯＳの設定に基づいて、情報処理装置１に対する入力が一定時間無い状態が続いた場合に、情報処理装置１を通常モードから省電力モードに移行する。
【００２５】
また、省電力モード移行部２１は、情報処理装置１がある省電力モード（第１省電力モード）にある場合であって、ユーザからの入力が一定時間無い場合に、別の省電力モード（第２省電力モード）に移行する。
【００２６】
図４は、省電力モードの移行例を示す図である。即ち、図４に示すように、シャットダウンメニューから「スタンバイ」が選択された場合に、情報処理装置１は第１省電力モードであるＳ１モードに移行する。その後、予め定められた一定時間が経過すると、情報処理装置１は第２省電力モードであるＳ３モードに移行する。
【００２７】
このように一般的には、省電力モードへの移行はＢＩＯＳまたはＯＳの少なくともいずれか一方により実行される。従って、図２に示した本実施の形態では、省電力モード移行部２１の機能はＢＩＯＳ上に生成されるとしたが、省電力モード移行部２１はＯＳ上に生成される機能であるとしてもよい。
【００２８】
省電力モード移行部２１は、情報処理装置１を通常モードから省電力モードに移行する場合に、移行先の省電力モードを示す情報を省電力モード記憶領域３１に記憶させる。また、省電力モード移行部２１は、情報処理装置１を第１省電力モード（例えば、Ｓ１モード）から第２省電力モード（例えば、Ｓ３モード）に移行する場合に、移行先の省電力モード（Ｓ３モード）を示す情報を省電力モード記憶領域３１に記憶させる。
【００２９】
省電力モード記憶領域３１は、情報処理装置１が複数の省電力モードのうちいずれか１つの省電力モードに移行した場合に、移行先の省電力モードを示す情報を記憶するための記憶領域である。移行先の省電力モードを示す情報としては、例えばＳ１、Ｓ３、Ｓ４等のように各省電力モードを示すモード番号が省電力モード記憶領域３１に格納される。尚、フラグを用いて各省電力モードを示すとしてもよい。
【００３０】
復帰要求受付部２２は、割り込みコントローラ２５を介して、ユーザから復帰（レジューム）要求を受付ける。また、復帰要求受付部２２は、割り込みコントローラ２５が検出した復帰要求がいずれの割り込み信号に対応するものであるか識別することができる。
【００３１】
一例としてＵＳＢポート１８に接続されているマウスから入力があった場合には、復帰要求受付部２２は、ＵＳＢデバイスからの復帰要求があったことを受付ける。他方、ＬＡＮアダプタ１９からマジックパケットを受け取った場合には、ＷＯＬによる復帰要求があったことを受付ける。
【００３２】
尚、ＷＯＬとは、外部からＬＡＮ経由で情報処理装置１のＬＡＮアダプタ１９にマジックパケットを送付することにより、情報処理装置１の電源を投入したり、省電力モードから通常モードに復帰したりするための機能である。
【００３３】
判定部２３は、復帰要求受付部２２が受付けた復帰要求は、省電力モード記憶領域３１に記憶されている移行先の省電力モードから通常モードに復帰可能である復帰要求の種類であるか否かを、復帰方法設定テーブル３２を参照して判定する。
【００３４】
図５は、復帰方法設定テーブル３２の一例を示す図である。図５に示すように、復帰方法設定テーブル３２は、各省電力モードにある情報処理装置１を通常モードに復帰させることのできる復帰要求の種類を、省電力モードごとに設定しているテーブルである。
【００３５】
復帰方法設定テーブル３２には、第１省電力モードに対しては、複数種類の復帰要求のうちいずれの種類の復帰要求を受付けた場合であっても情報処理装置１を通常モードに復帰可能であると設定されている。また、復帰方法設定テーブル３２には、第２省電力モードに対しては、複数種類の割り込み要求のうちの一部の種類の復帰要求を受付けた場合にのみ情報処理装置１を通常モードに復帰可能であると設定されている。
【００３６】
即ち、図５に示す設定例では、第１省電力モードのＳ１モードである場合に対しては、電源ボタンの押下、ＰＳ／２ポート１７に接続されたマウスやキーボード等のデバイス（ＰＳ／２デバイス）からの入力、ＵＳＢポート１８に接続されたマウスやキーボード等のデバイス（ＵＳＢデバイス）からの入力、タッチパネル１６からの入力、ＷＯＬからの入力、のいずれの種類の復帰要求を受付けた場合であっても情報処理装置１を通常モードに復帰可能であると設定されている。
【００３７】
一方、第２省電力モードのＳ３モード、Ｓ４モードである場合に対しては、ＷＯＬからの復帰要求を受付けた場合にのみ、情報処理装置１を通常モードに復帰可能であると設定されている。
【００３８】
従って、判定部２３は、例えばＳ３モードにある場合であって、復帰要求受付部２２が電源ボタンからの復帰要求を受付けた場合には、図５に示す復帰方法設定テーブル３２を参照して、電源ボタンからの復帰要求は、通常モードに復帰可能である復帰要求の種類ではないと判定する。また、例えばＳ３モードにある場合であって、復帰要求受付部２２がＷＯＬからの復帰要求を受付けた場合には、ＷＯＬからの復帰要求は、通常モードに復帰可能である復帰要求の種類であると判定する。
【００３９】
このように、本実施の形態では、短時間内に移行する第１省電力モードに対しては、通常モードに簡単に復帰できるように設定し、短時間内には移行しない第２省電力モードに対しては、予め定められた一部の復帰方法のみにより通常モードへ復帰可能であると設定している。これにより、第１省電力モードのセキュリティレベルよりも、第２省電力モードのセキュリティレベルを強化することができ、省電力モードに関する利便性とセキュリティとをともに向上させることができる。
【００４０】
また、ＷＯＬによる復帰処理では、情報処理装置１のＭＡＣアドレス等の機器固有の情報が無いと情報処理装置１に復帰要求を送信することができない。従って、第３者が容易に情報処理装置１を復帰させることはできず、Ｓ３モードまたはＳ４モードにある情報処理装置１の情報セキュリティを向上させることができる。
【００４１】
復帰部２４は、復帰要求受付部２２が受付けた復帰要求は、通常モードに復帰可能な復帰要求の種類であると判定部２３によって判定された場合に、省電力モードを終了させて通常モードに復帰させる。
【００４２】
次に、情報処理装置１において、上述したように省電力モードを第１省電力モードと第２省電力モードとの２段階で移行させる場合の情報処理装置１の復帰処理例について、図４を参照して説明する。
【００４３】
例えばユーザが離席等する場合に、シャットダウンメニュー（図３参照）から「スタンバイ」を選択して情報処理装置１をＳ１モード（第１省電力モード）に移行させる。その後、ユーザが短時間内に席に戻れば、省電力モードはＳ１モードのままである。従ってこの場合には、図５に示すように、電源ボタン、ＰＳ／２デバイス、ＵＳＢデバイス、タッチパネル、ＷＯＬのいずれの復帰方法であっても情報処理装置１を容易に復帰させることができる。
【００４４】
一方、ユーザに何らかの用事が発生してＳ１モードである時間内に戻って来られない場合には、省電力モードはＳ１モードからＳ３モード（第２省電力モード）に移行する。このように移行先の省電力モードがＳ３モードである場合に、復帰要求受付部２２が例えばＵＳＢデバイスからの復帰要求を受付けると、判定部２３はこの復帰要求を「通常モードに復帰させることのできる復帰要求の種類には含まれていない」と判定し、復帰部２４による復帰は行われない。その後ユーザが戻ってきた場合には、ユーザはＷＯＬによって復帰要求を送信する。判定部２３はこの復帰要求を「通常モードに復帰させることのできる復帰要求の種類に含まれている」と判定し、復帰部２４は情報処理装置１を復帰させることができる。
【００４５】
このように、本実施の形態にかかる情報処理装置１の復帰方法と２段階の省電力モードとを併用することで、ユーザに不意の用事が入った場合等でも、省電力モードをＷＯＬのみによって復帰できるＳ３モードに自動的に移行させることができ、簡易に省電力モードのセキュリティを向上させることができる。
【００４６】
尚、本実施の形態の各省電力モード（Ｓ１モード、Ｓ３モード、Ｓ４モード）では、ＷＯＬによる復帰を利用するために、ＬＡＮアダプタ１９への電力供給は遮断しないものとする。
【００４７】
次に、情報処理装置１が実行する省電力モードからの復帰処理の手順について説明する。図６は、情報処理装置１が実行する省電力モードからの復帰処理の手順を示すフローチャートである。
【００４８】
まず、省電力モード移行部２１は、ユーザがシャットダウンメニューから省電力モードを選択するなどにより、サスペンド要求を受付けたか否か判断する（ＳＴ１）。サスペンド要求を受付けた場合（ＳＴ１：Ｙｅｓ）には、受付けた省電力モードを省電力モード記憶領域３１に記憶させて（ＳＴ２）、その後受付けた省電力モードに情報処理装置１を移行する（ＳＴ３）。サスペンド要求を受付けていない場合（ＳＴ１：Ｎｏ）には、サスペンド要求を受付けるまで待機する（ＳＴ１）。
【００４９】
次に、復帰要求受付部２２は、入力装置ＡまたはＬＡＮアダプタ１９からの入力により復帰要求を受付けたか否か判断する（ＳＴ４）。復帰要求を受付けていない場合（ＳＴ４：Ｎｏ）にはＳＴ４に戻って復帰要求を受付けるまで待機する。復帰要求を受付けた場合（ＳＴ４：Ｙｅｓ）には、判定部２３は、復帰方法設定テーブル３２を参照して、受付けた復帰要求が通常モードに復帰可能な復帰要求の種類であるか否か判定する（ＳＴ５）。通常モードに復帰可能である復帰要求の種類である場合（ＳＴ５：Ｙｅｓ）には、復帰部２４は、省電力モードから通常モードに復帰させる（ＳＴ６）。通常モードに復帰可能である復帰要求の種類でない場合（ＳＴ５：Ｎｏ）には、通常モードに復帰させず、ＳＴ４に戻って次の復帰要求を受付けるまで待機する。
【００５０】
尚、上述では、復帰方法設定テーブル３２に、一部の種類の割り込み要求としてＷＯＬによる割り込み要求を設定しているが、一部の種類の割り込み要求の種類としてはこれに限定されるものではない。その他の例として、キーボードの複数のキーを同時に押下する複合キーによる割り込み要求を、通常モードに復帰可能である一部の割り込み要求として設定してもよい。具体的には、例えば、ＳｈｉｆｔキーとＦ７キーとを同時に押下した場合に復帰要求の割り込み信号が割り込みコントローラ２５に送信されるように予め設定しておくとともに、復帰方法設定テーブル３２においてＳ３モードやＳ４モードに対する復帰方法として、ＳｈｉｆｔキーとＦ７キーによる復帰を設定するとすればよい。
【００５１】
また、上述では、復帰方法設定テーブル３２には通常モードへの復帰を許可する復帰方法が予め設定されているとしたが、ユーザがＢＩＯＳの設定を行うことによって復帰方法設定テーブル３２の設定を変更できるように構成してもよい。
【００５２】
なお、本実施形態の情報処理装置１で実行されるプログラムは、ＲＡＭ１３等に予め組み込まれて提供される。本実施形態の情報処理装置１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００５３】
さらに、本実施形態の情報処理装置１で実行されるプログラムを、インターネット等のネットワークに接続されたコンピュータ上に格納し、ネットワーク経由でダウンロードさせることにより提供するように構成しても良い。また、本実施形態の情報処理装置１で実行されるプログラムをインターネット等のネットワーク経由で提供または配布するように構成しても良い。
【００５４】
以上説明したとおり、本実施形態によれば、復帰方法設定テーブル３２に設定されている、通常モードに復帰可能な復帰要求の種類である場合にのみ情報処理装置１を通常モードに復帰させる。従って、省電力モードとなっている情報処理装置１が第３者によって勝手に復帰されることを防止することができる。
【符号の説明】
【００５５】
１  情報処理装置
１０  制御部
２１  省電力モード移行部
２２  復帰要求受付部
２３  判定部
２４  復帰部
２５  割り込みコントローラ
２６（２６ａ、２６ｂ、２６ｃ、２６ｄ）  ＩＲＱ端子
３１  省電力モード記憶領域
３２  復帰方法設定テーブル
【先行技術文献】
【特許文献】
【００５６】
【特許文献１】特開２０１０−７９５７９公報
【図１】
2012038247.tif 000003
【図２】
2012038247.tif 000004
【図３】
2012038247.tif 000005
【図４】
2012038247.tif 000006
【図５】
2012038247.tif 000007
【図６】
2012038247.tif 000008